(57)【特許請求の範囲】
【請求項１】
原稿載置部の上側に設けられ、原稿載置部に載置された読取用原稿を押えるための原稿押え用カバーと、このカバーを所定箇所に取り付けるためのカバー取付部と、このカバー取付部に解除可能に嵌め込まれかつカバーをその開閉動作のために原稿載置部に対して上下回動可能に支持する支持体とを備えてなり、
この支持体に、カバー閉動作に連動してカバー取付部に圧接状に固定され、かつ、カバー開動作に連動してカバー取付部から固定解除されるカバー固定部が設けられていることを特徴とする原稿読取装置。
【請求項２】
支持体が、底壁と側壁とを有する一対の凹状部材からなり、カバー取付部が、原稿載置部上方の一方側部に設けられ、底壁と側壁とを有する一対の凹状部材からなり、カバー固定部が、ｉ）カバーの支持体側端部に設けられた作用部と、ｉｉ）カバー取付部内の支持体の底壁上に設けられた弾性部材と、ｉｉｉ）カバー閉動作に連動して前記作用部が押圧することで前記弾性部材に抗して下がり、その結果、カバー取付部の側壁内面に圧接状に固定され、かつ、カバー開動作に連動して前記作用部が離れることで前記弾性部材によって上がり、その結果、カバー取付部の側壁内面から離れる可動部材とからなることを特徴とする請求項１に記載の原稿読取装置。
【請求項３】
支持体が、ブック状原稿の読取動作時においては、シート状原稿の読取動作時に比べて原稿載置部のいっそう上方へ移動させることができるように構成されていることを特徴とする請求項１または２に記載の原稿読取装置。
【請求項４】
カバーが、これと一体に設けられ、複数枚のシート状読取用原稿を所定の原稿読取位置へ順次、搬送する自動原稿搬送装置をさらに備えている請求項１〜３のいずれか１つに記載の原稿読取装置。
【請求項５】
請求項１〜４のいずれか１つに記載の原稿読取装置が組み込まれてなる画像形成装置。
【発明の詳細な説明】
【０００１】
【発明の属する技術分野】
本発明は、原稿読取装置及びそれが組み込まれた画像形成装置に関するものであり、読み取るべき原稿を原稿載置部に確実に固定することが可能な固定装置を備えた原稿読取装置及びそれが組み込まれた複写機やプリンタなどの画像形成装置に関するものである。
【０００２】
【従来の技術】
従来、特開２０００―８９５２４号公報に記載されているような自動原稿搬送装置は、複写機本体の一方側部に設けられた支持手段により複写機本体に支持されている。また、この自動原稿搬送装置は、このような自動原稿搬送装置がない原稿カバーと交換することができる構成になっている。
【０００３】
【発明が解決しようとする課題】
しかし、従来の自動原稿搬送装置の支持手段は複写機本体に着脱可能な構成となっているため、複写機本体側に設けられた原稿読取装置による原稿の読取動作時に駆動手段の振動によって自動原稿搬送装置のブレが発生すると、原稿読取装置による原稿の読み取りにブレが発生し、正常に読取動作が行われないという問題がある。
【０００４】
また、従来の自動原稿搬送装置を備えた原稿読取装置でブック（ｂｏｏｋ）状の原稿をコピーする場合においては、支持手段の一部を回動軸として回動させて、厚みのあるブック状の原稿を押えるため、シート（ｓｈｅｅｔ）状の原稿の場合とは異なり、押し付けがうまくできず、無理に押し付けようとすると、自動原稿搬送装置が破損してしまうおそれがあった。
【０００５】
本発明は、このような実情に鑑みてなされたものであり、シート状原稿の読取動作はもとより、ブック状原稿の読取動作も安定して行うことができる原稿読取装置及びそれが組み込まれた画像形成装置を提供することを目的とする。
【０００６】
【課題を解決するための手段】
本発明の１つの観点によれば、原稿載置部の上側に設けられ、原稿載置部に載置された読取用原稿を押えるための原稿押え用カバーと、このカバーを所定箇所に取り付けるためのカバー取付部と、このカバー取付部に解除可能に嵌め込まれかつカバーをその開閉動作のために原稿載置部に対して上下回動可能に支持する支持体とを備えてなり、この支持体に、カバー閉動作に連動してカバー取付部に圧接状に固定され、かつ、カバー開動作に連動してカバー取付部から固定解除されるカバー固定部が設けられていることを特徴とする原稿読取装置が提供される。
【０００７】
原稿押え用カバーは、支持体を介して画像形成装置本体に取り付けられ、カバー閉動作によって固定される。すなわち、支持体に設けられたカバー固定部は、カバー閉動作によってカバー取付部に圧接状に固定される。これによって、カバーはカバー取付部に固定される。カバー固定部は、カバー開動作によってカバー取付部から固定解除される。これによって、カバーはカバー取付部から固定解除される。
【０００８】
このように構成された原稿読取装置にあっては、カバー閉動作によってカバー固定部がカバー取付部に圧接状に固定される結果、カバーがカバー取付部に固定され、カバー開動作によってカバー固定部がカバー取付部から固定解除されるので、シート状原稿の読取動作はもとより、ブック状原稿の読取動作も安定して行うことができる。
【０００９】
本発明の原稿読取装置としては例えば、次のようなものが好適に用いられる。すなわち、支持体が、底壁と側壁とを有する一対の凹状部材（例えば有底筒状部材）からなり、カバー取付部が、原稿載置部上方の一方側部に設けられ、底壁と側壁とを有する一対の凹状部材（例えば有底筒状部材）からなり、カバー固定部が、ｉ）カバーの支持体側端部に設けられた作用部（例えばカム部）と、ｉｉ）カバー取付部内の支持体の底壁上に設けられた弾性部材（例えば、圧縮コイルばね、ゴム、スポンジ等）と、ｉｉｉ）カバー閉動作に連動して前記作用部が押圧することで前記弾性部材に抗して下がり、その結果、カバー取付部の側壁内面に圧接状に固定され、かつ、カバー開動作に連動して前記作用部が離れることで前記弾性部材によって上がり、その結果、カバー取付部の側壁内面から離れる可動部材（例えば、前記弾性部材の上に配置された１つの柱状内側部材と、この内側部材を取り巻いてこれに接した状態に配置された複数の柱状外側部材とからなるもの等）とからなることを特徴とする原稿読取装置が好適に用いられる。
【００１０】
このように構成された原稿読取装置にあっては、作用部、弾性部材及び可動部材により、カバー閉動作でカバー固定部の可動部材がカバー取付部の側壁内面に圧接状に固定される結果、カバーがカバー取付部に固定され、一方、カバー開動作でカバー固定部の可動部材がカバー取付部の側壁内面から固定解除されるので、簡単な構成で、シート状原稿の読取動作はもとより、ブック状原稿の読取動作も安定して行うことができる。
【００１１】
本発明の原稿読取装置は、支持体が、ブック状原稿の読取動作時においては、シート状原稿の読取動作時に比べて原稿載置部のいっそう上方へ移動させることができるように構成されているのが好ましい。
【００１２】
このように構成された原稿読取装置にあっては、ユーザーが支持体をシート状原稿の読取動作時に比べて原稿載置部のいっそう上方へ移動させることで、カバーが厚みのあるブック状原稿を確実に押えることができるようになり、ブック状原稿の読取動作をいっそう安定して行うことができる。
【００１３】
本発明の原稿読取装置は、カバーが、これと一体に設けられ、複数枚のシート状読取用原稿を所定の原稿読取位置へ順次、搬送する自動原稿搬送装置をさらに備えているのが好ましい。
【００１４】
このように構成された原稿読取装置にあっては、原稿載置部に載置されたシート状読取用原稿及びブック状読取用原稿を原稿押え用カバーで押えることができるのに加えて、所定の原稿読取位置へ複数枚のシート状読取用原稿を自動原稿搬送装置で順次、搬送することができるので、原稿の読取動作をいっそう効率よく行うことができる。
【００１５】
本発明の別の観点によれば、本発明の１つの観点に係る前記のいずれか１つの原稿読取装置が組み込まれてなる画像形成装置が提供される。
【００１６】
このような画像形成装置にあっては、前記のいずれか１つの原稿読取装置が奏する前記効果を発揮することができ、その結果、効率のよい画像形成を行うことができる。
【００１７】
【発明の実施の形態】
以下、本発明に係る１つの実施の形態を図面に基づいて説明する。なお、これによって本発明が限定されるものではない。
【００１８】
図１は、本発明に係る１つの実施の形態である原稿読取装置１００が組み込まれた画像形成装置である複写機Ｃの構成の一例を示す、正面側断面図である。以下、図１に基づいて、片面画像形成時の動作手順と両面画像形成時の動作手順とを、分けて説明する。
【００１９】
（片面画像形成時）
複写機本体３０の上面には透明なガラス体の原稿台１が配置されており、複写機本体３０の内部においては、原稿台１の下方にスキャナー部２が配置されている。
【００２０】
スキャナー部２は、露光ランプ３、反射ミラー４〜６、レンズ７及び光電変換素子８（以下「ＣＣＤ」という）を含んでなり、露光ランプ３及び反射ミラー４〜６を原稿台１の下面に置き、水平方向に往復運動させて、原稿台１の上面に載置された読取用原稿の画像を露光ランプ３から照射された光によって露光走査する。
【００２１】
露光ランプ３による光の、原稿の画像面における反射光は、反射ミラー４〜６及びレンズ７を介してＣＣＤ８の受光面に結像し、ＣＣＤ８は、受光面における受光量に応じた信号を出力する。このＣＣＤ８の出力信号は、デジタルデータに変換された後に、図示しない画像処理部において所定の処理が施され、画像データとして出力される。
【００２２】
複写機本体３０の内部中央部には、感光体ドラム２２が矢印Ａ方向に回転することができるように支持されている。この感光体ドラム２２の周囲には、帯電器１８、画像書込ユニット１６、現像装置２３、転写器１９及びクリーナー１７が配置されて、作像部が構成されている。
【００２３】
また、複写機本体３０の最下部には、記録紙Ｐを収納した給紙カセット２５が装着されている。さらに、複写機本体３０の内部には、給紙カセット２５から作像部を経由して排紙トレイ２４に至る用紙搬送路が形成されている。この用紙搬送路には、１つの給紙ローラ２１、一対の搬送ローラＡ１４、一対のレジストローラ２０、一対の定着ローラ１３及び一対の排紙ローラ９が配置されている。
【００２４】
画像形成時において、矢印Ａ方向に回転する感光体ドラム２２の表面に対して、帯電器１８が単一極性の電荷を均一に付与する。その後、画像書込ユニット１６が、画像処理部から出力された画像データに基づいて変調した画像光を照射し、感光体ドラム２２の表面に光導電作用による静電潜像を作成する。現像装置２３は、感光体ドラム２２の表面に現像剤を供給し、静電潜像を現像剤画像に顕像化する。
【００２５】
感光体ドラム２２の回転に先立って、給紙ローラ２１の回転により給紙カセット２５内の記録紙Ｐが、１枚ずつ用紙搬送路内に給紙されており、（給紙された記録紙Ｐは、搬送ローラＡ１４により、レジストローラ２０へ搬送される。）記録紙Ｐは、前端部をレジストローラ２０に当接させた状態で停止している。
【００２６】
レジストローラ２０は、感光体ドラム２２と転写器１９との間において、記録紙Ｐの前端部が感光体ドラム２２の表面に担持された現像剤画像の前端に対向するタイミングで回転を開始し、記録紙Ｐを作像部に導く。
【００２７】
転写器１９は、感光体ドラム２２に担持された現像剤画像を記録紙Ｐの表面に転写し、クリーナー１７は、感光体ドラム２２の表面に残留したトナーを除去する。
【００２８】
現像剤画像が転写された記録紙Ｐは、定着ローラ１３を通過する間に加熱及び加圧され、現像剤画像が溶融して記録紙Ｐの第１面（片面）に固着する。第１面に現像剤画像が固着された記録紙Ｐは、排紙ローラ９の回転によって排紙トレイ２４に排出される。これによって、片面に画像形成された印刷物がユーザーに提供される。
【００２９】
（両面画像形成時）
両面画像形成時には、定着ローラ１３を通過した後、第１面に現像剤画像が固着された記録紙Ｐは、その後端を排紙ローラ９にニップした状態で一旦停止する。記録紙Ｐを一旦停止させるタイミングは、排紙検知スイッチ１０が記録紙Ｐの後端を検出したタイミングに基づいて設定される。
【００３０】
この後、記録紙Ｐを反転経路へ導くように切換爪１１を下方に移動させた上で、排紙ローラ９の逆回転によるスイッチバック式に記録紙Ｐはその後端部を今度は前端部として、記録紙Ｐの第２面（裏面）に画像を形成するために、排紙経路から反転経路に案内される。
【００３１】
記録紙Ｐは、反転経路に設けられた搬送ローラＢ１５により搬送され、搬送経路に設けられたレジストローラ２０へ搬送され、記録紙Ｐはその前端部をレジストローラ２０に当接させた状態で停止している。
【００３２】
レジストローラ２０は、感光体ドラム２２と転写器１９との間において、記録紙Ｐの前端部が感光体ドラム２２の表面に担持された現像剤画像の前端に対向するタイミングで回転を開始し、記録紙Ｐを作像部に導く。
【００３３】
転写器１９は、感光体ドラム２２に担持された現像剤画像を記録紙Ｐの第２面に転写し、クリーナー１７は、感光体ドラム２２の表面に残留したトナーを除去する。
【００３４】
現像剤画像が転写された記録紙Ｐは、定着ローラ１３を通過する間に加熱及び加圧され、現像剤画像が溶融して記録紙Ｐの第２面に固着する。
【００３５】
第２面に現像剤画像が固着された記録紙Ｐは、切換爪１１を上方に移動させた上で、排紙ローラ９へ送られ、排紙ローラ９の回転によって排紙トレイ２４に排出されることで、両面に画像形成された印字物が提供される。
【００３６】
また、ユーザーが手差しトレイ１２を意図的に用いた場合には、手差しローラ２６により手差しトレイ１２上に載置された用紙が給紙され、前述の片面あるいは両面の印字処理が行われる。
【００３７】
次に、原稿移動方式の構成を、図１に示す原稿読取装置１００の詳細図である図２に基づいて以下に説明する。
【００３８】
本発明における原稿移動式原稿読取装置１００は、次のような自動原稿搬送装置１５０を備えている。すなわち、この自動原稿搬送装置１５０はまず、原稿トレイ１０１に載置された原稿１０２を、原稿供給用ピックアップローラ１０３とさばき板１０４とから構成される原稿供給部１０５により、１枚ずつ主搬送路１０６へ搬送する。
【００３９】
搬送された原稿１０２は、原稿進入センサー１０７により原稿１０２の進入が確認された後、原稿１０２の先端と画像読取タイミングとを調整するために配置されたＰＳローラ１０８で一旦停止し、タイミングを合わせた状態で再搬送される。
【００４０】
この原稿１０２は、原稿読取部１０９（ＳＰＦ用ガラス１１０、原稿押え板１１１）を通過するとき、露光用光源１１２によって照射されて、反射ミラー１１３〜１１５及び結像レンズ１１６を介してＣＣＤ１１７で原稿画像情報が読み取られ、図示しない制御部で画像処理される。
【００４１】
このようにして読み取られた原稿１０２は、搬送ローラ１１８を介して排紙部１１９の可逆回転可能な排紙ローラ１２０を通過し、中間トレイ揺動板１２１の配置されるポジション（破線で表されたホームポジション１、及び実線で表されたホームポジション２）により原稿１０２の進行方向が決定されて、原稿排紙中間トレイ１２２へ、もしくは原稿排出トレイ１２３へ搬送される。
【００４２】
図３及び図４に示すように、原稿読取装置１００はさらに、１つの原稿押え用カバー１３０と、一対のカバー取付部１３１と、一対の支持体１３２とを備えてなる。
【００４３】
カバー１３０は、複写機本体３０の上側に設けられ、原稿載置部３１に載置された読取用原稿を押えるためのものである。
【００４４】
カバー取付部１３１は、カバー１３０を複写機本体３０に取り付けるために同本体３０の後方側部の上部に設けられて略鉛直に延び、図５及び図６に示すように、底壁１３１ａと側壁１３１ｂとを有する一対の有底筒状部材（凹状部材）からなる。
【００４５】
支持体１３２は、図５及び図６に示すように、底壁１３２ａと側壁１３２ｂとを有する一対の有底筒状部材（凹状部材）からなり、カバー１３０の後方側部に下方突出状に設けられてカバー取付部１３１に解除可能に嵌め込まれ、カバー１３０をその開閉動作のために複写機本体３０に対して上下回動可能に支持するものである。
【００４６】
図５及び図６に示すように、支持体１３２にはカバー固定部１３３が設けられている。カバー固定部１３３は、カバー１３０の閉動作に連動してカバー取付部１３１に圧接状に固定され（図５）、かつ、カバー１３０の開動作に連動してカバー取付部１３１から固定解除される（図６）。
【００４７】
より詳しく説明すると、カバー固定部１３３は、カバー１３０の支持体側端部に設けられた作用部としてのカム部１３０ａと、支持体１３２内の底壁１３２ａ上に略鉛直に設けられた弾性部材としての圧縮コイルばね１３５と、可動部材を構成する１つの柱状内側部材１３６と、可動部材を構成する複数の柱状外側部材１３７とからなる。
【００４８】
１つの柱状内側部材１３６は、全体が下向きテーパ状に設けられ、コイルばね１３５の上に下端が載置されてコイルばね１３５により略鉛直上方へ常時付勢されるとともに、上端がカバー取付部１３１の上縁付近に位置している。
【００４９】
複数の柱状外側部材１３７のそれぞれは、全体が上向きテーパ状に設けられ、カバー取付部１３１内で内側部材１３６を取り巻いて内面側部分が内側部材１３６に接した状態に、かつ、支持体１３２の側壁１３２ｂに設けられた開口から外面側部分が外方へ突出した状態に配置されている。
【００５０】
そして、図５に示すように、カバー１３０の閉動作に連動して前記カム部１３０ａが内側部材１３６の上端を押圧すると、内側部材１３６がコイルばね１３５に抗して下がり、それによって複数の柱状外側部材１３７の外面側部分がカバー取付部１３１の側壁１３１ｂ内面に押圧状に固定される。
【００５１】
一方、図６に示すように、カバー１３０の開動作に連動して前記カム部１３０ａが内側部材１３６の上端から離れることで内側部材１３６がコイルばね１３５によって上がり、それによって複数の柱状外側部材１３７の外面側部分がカバー取付部１３１の側壁１３１ｂ内面から離れる。
【００５２】
以上のように構成された原稿読取装置１００にあっては、カバー１３０の閉動作によってカバー固定部１３３がカバー取付部１３１に圧接状に固定される結果、カバー１３０がカバー取付部１３１に固定され、カバー１３０の開動作によってカバー固定部１３３がカバー取付部１３１から固定解除されるので、シート状原稿の読取動作はもとより、ブック状原稿の読取動作も安定して行うことができる。
【００５３】
原稿載置部３１に載置されるシート状原稿の読取動作時には、図７に示すように、その支持体１３２をカバー取付部１３１の底壁１３１ａ近くまで収納しておく。
【００５４】
一方、原稿載置部３１に載置されるブック状原稿の読取動作時には、図８に示すように、カバー１３０を持ち上げることでその支持体１３２を所望高さまで引き上げ、次いで、図９に示すように、カバー１３０を略水平まで下方へ回動してカム部１３０ａを前記のように作動させることでカバー１３０を所望位置で固定する。
【００５５】
これによって、カバー１３０が厚みのあるブック状原稿１４０を確実に押えることができるようになり、ブック状原稿１４０の読取動作をいっそう安定して行うことができる。
【００５６】
この原稿読取装置１００は、前記のように、原稿載置部に載置されたシート状読取用原稿及びブック状読取用原稿を原稿押え用カバーで押えることができるのに加えて、自動原稿搬送装置１５０により複数枚のシート状読取用原稿１０２を所定の原稿読取位置１０９へ順次、搬送することができるので、原稿の読取動作をいっそう効率よく行うことができる。
【００５７】
また、この複写機Ｃは、以上のような原稿読取装置１００を備えてなるので、原稿読取装置１００が奏する前記効果を発揮することができ、効率のよい複写を行うことができる。
【００５８】
【発明の効果】
請求項１に記載の原稿読取装置は、原稿載置部の上側に設けられ、原稿載置部に載置された読取用原稿を押えるための原稿押え用カバーと、このカバーを所定箇所に取り付けるためのカバー取付部と、このカバー取付部に解除可能に嵌め込まれかつカバーをその開閉動作のために原稿載置部に対して上下回動可能に支持する支持体とを備えてなり、この支持体に、カバー閉動作に連動してカバー取付部に圧接状に固定され、かつ、カバー開動作に連動してカバー取付部から固定解除されるカバー固定部が設けられていることを特徴とする。
従って、この原稿読取装置にあっては、カバー閉動作によってカバー固定部がカバー取付部に圧接状に固定される結果、カバーがカバー取付部に固定され、カバー開動作によってカバー固定部がカバー取付部から固定解除されるので、シート状原稿の読取動作はもとより、ブック状原稿の読取動作も安定して行うことができる。
【００５９】
請求項２に記載の原稿読取装置は、底壁と側壁とを有する一対の凹状部材からなり、カバー取付部が、原稿載置部上方の一方側部に設けられ、底壁と側壁とを有する一対の凹状部材からなり、カバー固定部が、ｉ）カバーの支持体側端部に設けられた作用部と、ｉｉ）カバー取付部内の支持体の底壁上に設けられた弾性部材（例えば、圧縮コイルばね、ゴム、スポンジ等）と、ｉｉｉ）カバー閉動作に連動して前記作用部が押圧することで前記弾性部材に抗して下がり、その結果、カバー取付部の側壁内面に圧接状に固定され、かつ、カバー開動作に連動して前記作用部が離れることで前記弾性部材によって上がり、その結果、カバー取付部の側壁内面から離れる可動部材とからなることを特徴とする。
従って、この原稿読取装置にあっては、作用部、弾性部材及び可動部材により、カバー閉動作でカバー固定部の可動部材がカバー取付部の側壁内面に圧接状に固定される結果、カバーがカバー取付部に固定され、一方、カバー開動作でカバー固定部の可動部材がカバー取付部の側壁内面から固定解除されるので、簡単な構成で、シート状原稿の読取動作はもとより、ブック状原稿の読取動作も安定して行うことができる。
【００６０】
請求項３に記載の原稿読取装置は、支持体が、ブック状原稿の読取動作時においては、シート状原稿の読取動作時に比べて原稿載置部のいっそう上方へ移動させることができるように構成されていることを特徴とする。
従って、この原稿読取装置にあっては、ユーザーが支持体をシート状原稿の読取動作時に比べて原稿載置部のいっそう上方へ移動させることで、カバーが厚みのあるブック状原稿を確実に押えることができるようになり、ブック状原稿の読取動作をいっそう安定して行うことができる。
【００６１】
請求項４に記載の原稿読取装置は、カバーが、これと一体に設けられ、複数枚のシート状読取用原稿を所定の原稿読取位置へ順次、搬送する自動原稿搬送装置をさらに備えている。
従って、この原稿読取装置にあっては、原稿載置部に載置されたシート状読取用原稿及びブック状読取用原稿を原稿押え用カバーで押えることができるのに加えて、所定の原稿読取位置へ複数枚のシート状読取用原稿を自動原稿搬送装置で順次、搬送することができるので、原稿の読取動作をいっそう効率よく行うことができる。
【００６２】
請求項５に記載の画像形成装置は、前記のいずれか１つの原稿読取装置を備えてなる。
したがって、この画像形成装置にあっては、前記のいずれか１つの原稿読取装置が奏する前記効果を発揮することができ、その結果、効率のよい画像形成を行うことができる。
【図面の簡単な説明】
【図１】図１は、本発明に係る１つの実施の形態である原稿読取装置が組み込まれた画像形成装置である複写機の構成を示す、正面側断面図である。
【図２】図２は、図１の複写機に組み込まれた原稿読取装置の拡大構成説明図である。
【図３】図３は、図１の複写機を正面側から見た斜視図である。
【図４】図４は、図１の複写機を背面側から見た分解斜視図である。
【図５】図５は、図１の複写機に組み込まれた原稿読取装置におけるカバーが閉じられた状態のカバー固定部の拡大構成説明図である。
【図６】図６は、図１の複写機に組み込まれた原稿読取装置におけるカバーが開かれた状態のカバー固定部の拡大構成説明図である。
【図７】図７は、図１の複写機に組み込まれた原稿読取装置におけるカバー取付部の底壁近くまで収納された支持体の構成説明図である。
【図８】図８は、図１の複写機に組み込まれた原稿読取装置におけるカバー取付部の所望高さまで引き上げられた支持体の構成説明図である。
【図９】図９は、図１の複写機に組み込まれた原稿読取装置における支持体がカバー取付部の所望高さまで引き上げられ、カバーがブック状原稿を押さえている状態を示す構成説明図である。
【符号の説明】
Ｃ・・・・・・複写機
Ｐ・・・・・・記録紙
１・・・・・・原稿台
２・・・・・・スキャナー部
３・・・・・・露光ランプ
４〜６・・・・反射ミラー
７・・・・・・レンズ
８・・・・・・光電変換素子（ＣＣＤ）
９・・・・・・排紙ローラ
１０・・・・・・排紙検知スイッチ
１１・・・・・・切換爪
１２・・・・・・手差しトレイ
１３・・・・・・定着ローラ
１４・・・・・・搬送ローラＡ
１５・・・・・・搬送ローラＢ
１６・・・・・・画像書込ユニット
１７・・・・・・クリーナー
１８・・・・・・帯電器
１９・・・・・・転写器
２０・・・・・・レジストローラ
２１・・・・・・給紙ローラ
２２・・・・・・感光体ドラム
２３・・・・・・現像装置
２４・・・・・・排紙トレイ
２５・・・・・・給紙カセット
２６・・・・・・手差しローラ
３０・・・・・・複写機本体
３１・・・・・・原稿載置部
１００・・・・・・原稿読取装置
１０１・・・・・・原稿トレイ
１０２・・・・・・原稿
１０３・・・・・・原稿供給ピックアップローラ
１０４・・・・・・さばき板
１０５・・・・・・原稿供給部
１０６・・・・・・主搬送路
１０７・・・・・・原稿進入センサー
１０８・・・・・・ＰＳローラ
１０９・・・・・・原稿読取部
１１０・・・・・・ＳＰＦ用ガラス
１１１・・・・・・原稿押え板
１１２・・・・・・露光用光源
１１３〜１１５・・反射ミラー
１１６・・・・・・結像レンズ
１１７・・・・・・ＣＣＤ
１１８・・・・・・搬送ローラ
１１９・・・・・・排紙部
１２０・・・・・・排紙ローラ
１２１・・・・・・中間トレイ揺動板
１２２・・・・・・中間トレイ
１２３・・・・・・原稿排出トレイ
１３０・・・・・・原稿押え用カバー
１３１・・・・・・カバー取付部
１３２・・・・・・支持体
１３３・・・・・・カバー固定部
１３４・・・・・・回動軸
１３５・・・・・・圧縮コイルばね
１３６・・・・・・内側部材
１３７・・・・・・外側部材
１４０・・・・・・ブック状原稿
１５０・・・・・・自動原稿搬送装置
【図１】
0003623464.tif 000002
【図２】
0003623464.tif 000003
【図３】
0003623464.tif 000004
【図４】
0003623464.tif 000005
【図５】
0003623464.tif 000006
【図６】
0003623464.tif 000007
【図７】
0003623464.tif 000008
【図８】
0003623464.tif 000009
【図９】
0003623464.tif 000010